(57)【特許請求の範囲】
【請求項１】
ベース部と両側部を有するベース部材と、このベース部材の両側部に互いに対向する側に所定間隔を空けて同軸に固定させ当該ベース部材と共に回転可能と成した一対の第１及び第２回転シャフトと、この第１及び第２回転シャフトへそれぞれ回転可能に取り付けた一対の取付部材と、この一対の取付部材と前記第１及び第２回転シャフトの少なくとも一方のものとの間に設けられた第１回転制御手段と、前記ベース部材のベース部に設けた軸受孔へ取り付けられたところの前記第１及び第２回転シャフトの回転方向と直交する方向へ回転可能に取り付けられた筒状の第３回転シャフトと、この第３回転シャフトへ当該第３回転シャフトが前記ベース部材より抜け出ないよう前記軸受孔を貫通して前記第１及び第２回転シャフト側へ突出した部分に固定させたストッパー部付きの固定用カラーと、前記第３回転シャフトへ共に回転するように取り付けられたディスプレー体の支持部材と、前記第３回転シャフトと前記ベース部材との間に設けられた第２回転制御手段とから成り、前記第１回転制御手段を、前記第１及び第２回転シャフトのいずれか一方に回転を拘束させつつ前記取付部材に接して設けられたフリクションワッシャーと、このフリクションワッシャーを前記取付部材側へ圧接させるスプリングワッシャーと、前記取付部材と前記フリクションワッシャーとの間に設けた前記ベース部材のクリック停止手段とを含んで構成し、前記第２回転制御手段を、前記第３回転シャフトを回動可能に挿通させて前記ベース部材に固定された位置規制用ワッシャーと、前記第３回転シャフトに回転を拘束されて設けられた前記位置規制用ワッシャーに圧接するフリクションワッシャーと、前記位置規制用ワッシャーに設けた凹部と前記フリクションワッシャーに設けた凸部から成るクリック停止手段とを含んで構成したことを特徴とする、チルトヒンジ。
【請求項２】
前記第１回転制御手段を、前記ベース部材に固定させた当該ベース部材と共に回転する大径部と変形小径部とを有する第１または第２回転シャフトと、この回転シャフトの大径部に接して、軸受孔を有し当該軸受孔に前記変形小径部を回転可能に軸挿させた前記取付部材の軸受プレートと、この軸受プレートに設けた凹部に接して前記変形小径部をその変形挿通孔へ軸挿係合させた前記凹部とクリック嵌合する凸部を有するクリック機能付きフリクションワッシャーと、このフリクションワッシャーに接して前記変形小径部をその挿通孔へ軸挿させたスプリングワッシャーと、このスプリングワッシャーに接して前記変形小径部を挿通係合させて設けた押圧用ワッシャーと、この押圧用ワッシャーに接して前記変形小径部の端部をかしめることによって形成させたかしめ部と、で構成したことを特徴とする、請求項１に記載のチルトヒンジ。
【請求項３】
前記かしめ部を締付ナットとしたことを特徴とする、請求項２記載のチルヒンジ。
【請求項４】
前記第２回転制御手段を、前記第３回転シャフトをその中心部に設けた挿通孔へ挿通させて前記ベース部材の裏面に係止固定された単数又は複数の凹部を有する位置規制用ワッシャーと、前記第３回転シャフトをその中心部に設けた挿通孔へ挿通させつつ前記位置規制用ワッシャーに当接させて設けた前記凹部と嵌合する凸部を有するフリクションワッシャーとで構成し、前記第３回転シャフトが前記ベース部材の軸受孔より前記第１及び第２回転ワッシャーの側へ突出した部分にビスで固着させた固定用カラーによって前記位置規制用ワッシャーと前記フリクションワッシャーが圧接状態となるように構成すると共に、ハーネスを前記第３回転シャフトの軸方向に設けた貫通孔を介して挿通させるように成したことを特徴とする、請求項１に記載のチルトヒンジ。
【請求項５】
前記第２回転制御手段を、前記第３回転シャフトをその中心部に設けた挿通孔へ挿通させて前記ベース部材の裏面に係止固定された単数又は複数の凹部を有する位置規制用ワッシャーと、前記第３回転シャフトをその中心部に設けた挿通孔へ挿通させつつ前記位置規制用ワッシャーに当接させて設けた前記凹部と嵌合する凸部を有するフリクションワッシャーとで構成し、前記第３回転シャフトが前記ベース部材の軸受孔より前記第１及び第２回転ワッシャーの側へ突出した部分にビスで固着させた固定用カラーによって前記位置規制用ワッシャーと前記フリクションワッシャーが圧接状態となるように構成すると共に、ハーネスを前記第３回転シャフトの軸方向に設けた貫通孔を介して挿通させるように成したことを特徴とする、請求項１に記載のチルトヒンジ。
【請求項６】
前記取付部材へ前記ベース部材を回転可能かつクリック停止可能に取り付けるようにするに当り、該ベース部材を前記取付部材で両持型に支持し、一方の取付部材に前記第１回転制御手段を設けたことを特徴とする、請求項１に記載のチルトヒンジ。
【発明の詳細な説明】
【０００１】
【発明の属する技術分野】
この発明は、例えばビデオカメラやモニター付カメラ、その他のＯＡ機器のディスプレー体を、装置本体に対して開閉させ、自由な位置で停止保持させて使用する際に用いて好適なチルトヒンジに関する。
【０００２】
【従来の技術】
従来、ビデオカメラやモニター付カメラ等において、記録再生用のディスプレー体やフィルムに写した複写体のモニター用ディスプレー体（以下単にディスプレー体という）を取り付けたものが公知である。これらのディスプレー体は、不使用時には邪魔にならないように、折り畳まれて装置本体に設けた収納部に収納されているが、記録再生時或はモニター時に収納部より引き起こして自由な見易い角度に調節することを要し、そのための二軸式のチルトヒンジが公知である。
【０００３】
従来のチルトヒンジは、取付部材の軸受プレートに軸受けさせてディスプレー体の支持部材を兼ねる回転シャフトの大径部にスプリングワッシャーとフリクションワッシャーを用いたディスクフリクション機構を設けて、回転シャフトに取り付けたディスプレー体を任意の位置で停止保持させたり、或はダイキャスト製の凹凸のカム部と皿バネを用いてクリック停止させたりしていた。
【０００４】
【発明が解決しようとする課題】
ところが、その後の技術革新によって、回転シャフト内にハーネスを通してしまうことが望まれることになり、そのために回転シャフトにハーネス挿通用の挿通孔を軸芯を共通にして軸方向へ貫通させて設ける必要が生じた。すると、回転シャフトの外径が太くする必要が生じ、従来と同じ外径スペースの中へ従来のディスクフリクション機構やクリック停止機構を組み込むことが困難になったことから、この発明がなされた。
【０００５】
この発明の目的は、回転シャフトの軸方向へハーネスを通すスペースを有する挿通孔を設けた上で、ディスプレー体を任意の角度で保持し、さらにクリック停止できる機構を従来と同じ外径スペースの中に収まるように工夫したチルトヒンジを提供せんとするにある。
【０００６】
【課題を解決するための手段】
上述した目的を達成するためにこの発明は、ベース部と両側部を有するベース部材と、このベース部材の両側部に互いに対向する側に所定間隔を空けて同軸に固定させ当該ベース部材と共に回転可能と成した一対の第１及び第２回転シャフトと、この第１及び第２回転シャフトへそれぞれ回転可能に取り付けた一対の取付部材と、この一対の取付部材と前記第１及び第２回転シャフトの少なくとも一方のものとの間に設けられた第１回転制御手段と、前記ベース部材のベース部に設けた軸受孔へ取り付けられたところの前記第１及び第２回転シャフトの回転方向と直交する方向へ回転可能に取り付けられた筒状の第３回転シャフトと、この第３回転シャフトへ当該第３回転シャフトが前記ベース部材より抜け出ないよう前記軸受孔を貫通して前記第１及び第２回転シャフト側へ突出した部分に固定させたストッパー部付きの固定用カラーと、前記第３回転シャフトへ共に回転するように取り付けられたディスプレー体の支持部材と、前記第３回転シャフトと前記ベース部材との間に設けられた第２回転制御手段とから成り、前記第１回転制御手段を、前記第１及び第２回転シャフトのいずれか一方に回転を拘束させつつ前記取付部材に接して設けられたフリクションワッシャーと、このフリクションワッシャーを前記取付部材側へ圧接させるスプリングワッシャーと、前記取付部材と前記フリクションワッシャーとの間に設けた前記ベース部材のクリック停止手段とを含んで構成し、前記第２回転制御手段を、前記第３回転シャフトを回動可能に挿通させて前記ベース部材に固定された位置規制用ワッシャーと、前記第３回転シャフトに回転を拘束されて設けられた前記位置規制用ワッシャーに圧接するフリクションワッシャーと、前記位置規制用ワッシャーに設けた凹部と前記フリクションワッシャーに設けた凸部から成るクリック停止手段とを含んで構成したことを特徴とする。
【０００７】
その際にこの発明は、前記第１回転制御手段を、前記ベース部材に固定させた当該ベース部材と共に回転する大径部と変形小径部とを有する第１または第２回転シャフトと、この回転シャフトの大径部に接して、軸受孔を有し当該軸受孔に前記変形小径部を回転可能に軸挿させた前記取付部材の軸受プレートと、この軸受プレートに設けた凹部に接して前記変形小径部をその変形挿通孔へ軸挿係合させた前記凹部とクリック嵌合する凸部を有するクリック機能付きフリクションワッシャーと、このフリクションワッシャーに接して前記変形小径部をその挿通孔へ軸挿させたスプリングワッシャーと、このスプリングワッシャーに接して前記変形小径部を挿通係合させて設けた押圧用ワッシャーと、この押圧用ワッシャーに接して前記変形小径部の端部をかしめることによって形成させたかしめ部と、で構成することができる。
【０００８】
この発明はさらに、前記かしめ部を締付ナットとすることができる。
この発明はさらに、前記第１回転制御手段を、前記ベース部材に固定させた当該ベース部材と共に回転する大径部と変形小径部とを有する第１または第２回転シャフトと、この回転シャフトの大径部に接して、軸受孔を有し当該軸受孔に前記変形小径部を回転可能に軸挿させた前記取付部材の軸受プレートと、この軸受プレートに設けた凹部に接して前記変形小径部をその変形挿通孔へ軸挿係合させた前記凹部とクリック嵌合する凸部を有するクリック機能付きフリクションワッシャーと、このフリクションワッシャーに接して前記変形小径部をその挿通孔へ軸挿させたスプリングワッシャーと、このスプリングワッシャーに接して前記変形小径部を挿通係合させて設けた押圧用ワッシャーと、この押圧用ワッシャーに接して前記変形小径部の端部をかしめることによって形成させたかしめ部と、で構成することができる。
【０００９】
この発明はまた、前記第２回転制御手段を、前記第３回転シャフトをその中心部に設けた挿通孔へ挿通させて前記ベース部材の裏面に係止固定された単数又は複数の凹部を有する位置規制用ワッシャーと、前記第３回転シャフトをその中心部に設けた挿通孔へ挿通させつつ前記位置規制用ワッシャーに当接させて設けた前記凹部と嵌合する凸部を有するフリクションワッシャーとで構成し、前記第３回転シャフトが前記ベース部材の軸受孔より前記第１及び第２回転ワッシャーの側へ突出した部分にビスで固着させた固定用カラーによって前記位置規制用ワッシャーと前記フリクションワッシャーが圧接状態となるように構成すると共に、ハーネスを前記第３回転シャフトの軸方向に設けた貫通孔を介して挿通させるように構成することができる。
【００１０】
そして、この発明は、前記取付部材へ前記ベース部材を回転可能かつクリック停止可能に取り付けるようにするに当り、該ベース部材を前記取付部材で両持型に支持し、一方の取付部材に第１回転制御手段を設けることができる。
【００１１】
【発明の実施の形態】
図面はこの発明の一実施の形態を示し、図１乃至図２において、Ａは例えばモニター付のデジタルカメラの装置本体であり、その後部に設けた収納部ａにはディスプレー体（モニター）ＢがチルトヒンジＣを介して引き起こし可能に、かつ、引き起こした状態で回転可能に取り付けられている。このディスプレー体Ｂは、例えば、モニター付きのデジタルカメラが被写体を写した状態を表示することができるものであり、これによって、フィルムに写された被写体の状況が解るようになっている。
【００１２】
図３乃至図９は、チルトヒンジＣの構造を示す。図面によれば、指示記号１と２は取付部材であり、装置本体Ａ内部の取付プレートｂ，ｃへビスｄを用いて固着される。この取付部材１，２の間には、両持型にベース部材３が回動可能に取り付けられている。このベース部材３は一方の取付部材１へは該ベース部材３に係止固定させた第１回転シャフト４を介して単に回転可能に取り付られているのみであるが、もう一方の取付部材２へは、第１回転制御手段Ｄを介して、フリクション回転可能、かつ所定の回転角度においてクリック停止可能に取り付けれられている。尚、５はベース部材３の回転範囲を規制するストッパーである。
【００１３】
この第１回転制御手段Ｄは、とくに図６、図７及び図８に示したように、次のように構成されている。ベース部材３へその取付部６ａを取付ビス７を用いて係止固定した大径部６ｂと変形小径部６ｃを有する第２回転シャフト６の該変形小径部６ｃへ、大径部６ｂに接して取付部材２の軸受プレート２ａを軸受孔２ｃを介して回転可能に軸着させ、回転シャフト６の変形小径部６ｃへクリック機能付きフリクションワッシャー８をその変形挿通孔８ａへ該変形小径部６ｃを軸挿係止させ、側面を軸受プレート２ａへ当接させて取り付け、さらに変形小径部６ｃへこのクリック機能付きフリクションワッシャー８に接して３枚の皿バネから成るスプリングワッシャー９をその各挿通孔９ａへ変形小径部６ｃを軸挿させつつ取り付け、さらに回転シャフト６には変形挿通孔１０ａを設けた押え用ワッシャー１０をスプリングワッシャー９に接して変形小径部６ｃを軸挿係止させ、この変形小径部６ｃの端部をかしめてかしめ部６ｄを設けることによって、クリック機能付きフリクションワッシャー８が軸受プレート２ａへ圧接されるように構成してある。尚、皿バネは他の形状構造のスプリングワッシャーとすることができる。そして、クリック機能付きフリクションワッシャー８には複数の凸部８ｂ，８ｂが設けられ、軸受プレート２ａの側には軸受孔２ｂと連通した複数の凹部２ｃが設けられている。尚、この第１回転制御手段Ｄは、取付部材１とベース部材３との間にも設けても良い。
【００１４】
次に、ベース部材３には第１及び第２回転シャフト４，６と直交する方向にディスプレー体Ｂの支持部材１９が、第２回転制御手段Ｅを介して回転可能に取り付られている。この第２回転制御手段Ｅは、ディスプレー体の支持部材１９の挿通孔１９ａの部分に、互いに連通させてフランジ部１２ａの部分をビス１１で固着した軸方向に貫通孔１２ｂを設けた筒状の第３回転シャフト１２を、ベース部材３に設けた軸受孔３ａへ軸受けさせ、この第３回転シャフト１２を挿通孔１３ａへ軸挿させてクリック機能付きフリクションワッシャー１３をフランジ部１２ａに当接係止させて設け、このクリック機能付きフリクションワッシャー１３に当接させつつ、その挿通孔１４ａへ第３回転シャフト１２を軸挿させつつ位置規制用ワッシャー１４を設け、この位置規制用ワッシャー１４をベース部材３に設けた係合凹部３ｂへ係止固定させると共に、第３回転シャフト１２がベース部材３の軸受孔３ａを貫通した部分にストッパー部１５ｂ付きの固定用カラー１５の挿通孔１５ａを嵌着させてビス１６で固着することにより、クリック機能付きフリクションワッシャー１３と位置規制用ワッシャー１４が互いに圧接摺動するように構成して成る。
【００１５】
そして、クリック機能付きフリクションワッシャー１３には、第３回転シャフト１２のフランジ部１２ａに設けた係止溝１２ｃへ係止される係止片１３ｂを、位置規制用ワッシャー１４に設けた複数の凹部１４ｂと係合する凸部１３ｃが形成されている。尚、１７はカバーである。
【００１６】
したがって、支持部材１９へディスプレー体Ｂの端部を取り付け、図１に示したように、装置本体Ａの収納部ａへ収納した状態から引き起こすと、第１回転シャフト４と第２回転シャフト６が取付部材１，２に対する軸受個所を支点にベース部材３と共に回動し、ディスプレー体Ｂの引き起きを可能とする。ディスプレー体Ｂが閉成位置から９０°まで開かれると、第２回転シャフト６と共に回転する第１回転制御手段Ｄのクリック機能付きフリクションワッシャー８の凸部８ｂが取付部材２の軸受プレート２ａの凹部２ｃに落ち込むことによって、クリック停止する。
【００１７】
また、ディスプレー体Ｂの引き起こし動作時においては、第１回転制御手段Ｄのクリック機能付きフリクションワッシャー８が軸受プレート２ａに圧接した状態で摺動するので、そのフリクション摺動により、ディスプレー体Ｂを任意の位置で停止できる。
【００１８】
ディスプレー体Ｂを引き起こした後、第３回転シャフト１２の軸回りにディスプレー体Ｂを回転させると、第３回転シャフト１２はディスプレー体Ｂと共にフリクション回転し、第２回転制御手段Ｅによって、ディスプレー体は所定の回転角度で任意に停止でき、かつ９０°や７０°といった予め定められた回転角度で安定的にクリック停止する。
【００１９】
また、装置本体Ａ側とディスプレーＢ側との間をつなぐハーネス１８は、第３回転シャフト１２の貫通孔１２ｂ内を通り、外部へ露出することがない。
【００２０】
尚、以上の実施の形態において、皿バネは他の形状、構造のスプリングワッシャーに変えることができ、第２回転シャフト６の端部のかしめは、他の例えばナットによる締め付けに変えることができる。第１回転シャフト４と第２回転シャフト６は、これを一本の回転シャフトとすることができ、第３回転シャフト１２の固定用カラー１５はこれをかしめ部、或はナットとすることができる。
【００２１】
図１０乃至図１５は、チルトヒンジの他の実施の形態を示し、指示記号２１は取付部材であり、ビデオカメラ等の装置本体Ｈ内部の取付プレート２２へビス等を用いて固着される。この取付部材２１の一対の軸受プレート２１ａ，２１ｂの間には、両持型にベース部材２３が第２回転シャフト２４と第１回転シャフト２５を介して回動可能に取り付けられている。このベース部材２３の第１回転シャフト２５には、第１回転制御手段Ｆが設けられている。尚、２６はベース部材の回転範囲を規制するストッパーである。
【００２２】
この第１回転制御手段Ｆは、次のように構成されている。ベース部材２３へその取付部２５ａを取付ビス２７を用いて係止固定した大径部２５ｂと変形小径部２５ｃを有する第１回転シャフト２５の該変形小径部２５ｃへ大径部２５ｂに接して取付部材２１の軸受プレート２１ａを軸受孔２１ｂを介して回転可能に軸着させ、回転シャフト２５の変形小径部２５ｃへクリック機能付きフリクションワッシャー２９をその変形挿通孔２９ａへ該変形小径部２５ｃを軸挿係止させ、側面を軸受プレート２１ａへ当接させて取り付け、さらに変形小径部２５ｃへこのクリック機能付きフリクションワッシャー２９に接して３枚の皿バネから成るスプリングワッシャー３０をその各挿通孔３０ａへ変形小径部２５ｃを軸挿させつつ取り付け、さらに変形係止孔３１ａを設けたプッシュワッシャー３１をスプリングワッシャー３０に接して変形小径部２５ｃを軸挿係止させ、圧入することによって、クリック機能付きフリクションワッシャー２９が軸受プレート２１ａへ圧接されるように構成してある。尚、皿バネは他の形状構造のスプリングワッシャー２９とすることができる。そして、クリック機能付きフリクションワッシャー２９には複数の凸部２９ｂが設けられ、軸受プレート２１ａの側には軸受孔２１ｃと連通した凹部２１ｄが設けられている。
【００２３】
次に、ベース部材２３には第１回転制御手段Ｆの第１回転シャフト２５と直交する方向にディスプレー体Ｉの支持部材３３が、第２回転制御手段Ｇを介して回転可能に取り付られている。この第２回転制御手段Ｇは、支持部材３３より突設した軸方向に貫通孔３４ａを設けた筒状の第３回転シャフト３４を、ベース部材２３に設けた軸受孔２３ａへ軸受けさせ、この第３回転シャフト３４をその中心部に設けた挿通孔３５ａへ軸挿係止させてクリック機能付きフリクションワッシャー３５をフランジ部３４ｂに当接係止させて設け、このクリック機能付きフリクションワッシャー３５に当接させつつ、その挿通孔３６ａへ第３回転シャフト３４を軸挿させつつ位置規制用ワッシャー３６を設け、この位置規制ワッシャー３６のストッパー部３６ｂをベース部材２３に設けた図示してない係止部へ係止固定させると共に、第３回転シャフト３４がベース部材２３の軸受孔２３ａを貫通した部分に固定用カラー３７を嵌着させて該第３回転シャフト３４へクリック機能付きフリクションワッシャー３５と位置規制用ワッシャー３６が互いに圧接摺動するように固定ビス３８，３８で固定させて成る。尚、３７ａは変形挿通孔、３７ｂはストッパーである。
【００２４】
そして、クリック機能付きフリクションワッシャー３５には、第３回転シャフト３４のフランジ部３４ｂに設けた係止ピン３４ｃへ係止される係止孔３５ｂ，３５ｂと、位置規制用ワッシャー３６に設けた複数の凹部３６ｃと係合する凸部３５ｃが形成されている。
【００２５】
したがって、とくに図１０と図１１に示したように、取付部材２１を例えばビデオカメラ等の装置本体Ｈ側へ取り付け、支持部材３３へディスプレー体Ｉの端部を取り付け、装置本体Ｈの収納部ｈへ収納した状態から引き起こすと、第１回転制御手段Ｅの第１回転シャフト２５が取付部材２１の軸受プレート２１ａ，２１ｂに対する軸受個所を支点に該ベース部材２３と共に回動し、ディスプレー体Ｉの引き起きを可能とし、閉成位置から９０°まで開かれると、第１回転シャフト２５と共に回転するクリック機能付きフリクションワッシャー２９の凸部２９ｂが軸受プレート２１ａの凹部２１ｄに落ち込むことによって、クリック停止する。
【００２６】
また、ディスプレー体Ｉの引き起こし動作時においては、クリック機能付きフリクションワッシャー２９が軸受プレート２１ａに圧接した状態で摺動するので、そのフリクション摺動により、ディスプレー体Ｉを任意の位置で停止できる。
【００２７】
ディスプレー体Ｉを引き起こした後、第３回転シャフト３４の軸回りにディスプレー体Ｉを回転させると、該第３回転シャフト３４はディスプレー体Ｉと共にフリクション回転し、第２回転制御手段Ｇによって、ディスプレー体Ｉは所定の回転角度で任意に停止でき、かつ９０°や１８０°、２７０°といった予め定められた回転角度でクリック停止する。
【００２８】
また、装置本体Ｈ側とディスプレー体Ｉ側との間をつなぐハーネス３９は、第３回転シャフト３４の貫通孔３４ａ内を通り、外部へ露出することがないことは、先の実施の形態のものと同じである。
【００２９】
尚、以上の実施の形態において、皿バネは他の形状、構造のスプリングワッシャーに変えることができ、第１回転シャフトの端部はかしめ部の形成、或は、他の例えばナットによる締め付けに変えることができる。第１回転シャフトと第２回転シャフトは、これを一本の回転シャフトとすることができ、第２回転シャフトの固定用カラーはこれをかしめ部の形成、或はナットとすることができる。
【００３０】
【発明の効果】
この発明は以上のように構成したので、次のような効果を奏し得る。
【００３１】
請求項１のように構成すると、部品点数の少ない簡単な構成でディスプレー体を、カメラやビデオ等の装置本体に対し、普段は突出しないように折り畳んでおき、必要に応じて自由な角度まで引き起こして、ディスプレー体を任意の見易い角度に調整することができ、クリック停止機能付きフリクション手段によって、その停止位置を安定的に保つことができるものである。
【００３２】
請求項２のように構成すると、第１回転制御手段の構成が簡単となり、ベース部材を任意の位置で停止保持させ、所定の位置でクリック停止させることができるという効果を奏し得る。
【００３３】
請求項３のように構成すると、第１回転制御手段がより強いフリクショントルクを得ることができるという効果を奏し得る。
【００３４】
請求項４のように構成すると、請求項１と同じ効果を奏した上で、ディスプレー体をその軸回りに回転制御する第２回転制御手段の構成が簡単となるから、製作コストを下げることができるという効果を奏し得る。
【００３５】
請求項５のように構成すると、請求項１と同じ効果を奏した上で、ハーネスを第３の回転シャフト内へ通すことにより、外部へ露出して損傷したり外観を損ってしまったりすることがないという効果を奏し得る。
【００３６】
請求項６のように構成すると、ベース部材の第１回転制御手段の構成が簡単となり、製作コストを下げることができるという効果を奏し得る。
【図面の簡単な説明】
【図１】  この発明に係るチルトヒンジを用いたデジタルカメラの斜視図である。
【図２】図１に示したデジタルカメラにおいて、ディスプレー体を引き起こして見た斜視図である。
【図３】  この発明に係るチルトヒンジの正面図である。
【図４】  この発明に係るチルトヒンジの側面図である。
【図５】  この発明に係るチルトヒンジの底面図である。
【図６】  この発明に係るチルトヒンジの分解斜視図である。
【図７】  この発明に係るチルトヒンジの第１回転制御手段の側の取付部材の斜視図である。
【図８】  この発明に係るチルトヒンジの第１回転制御手段のフリクションワッシャーを底面から見た斜視図である。
【図９】  この発明に係るチルトヒンジのもう一方の取付部材とベース部材の連結を説明するための分解斜視図である。
【図１０】  この発明に係るチルトヒンジの他の実施の形態を示す正面図である。
【図１１】  図１０に示したチルトヒンジの側面図である。
【図１２】  図１０に示したチルトヒンジの平面図である。
【図１３】  図１０に示したチルトヒンジの要部の部分の分解斜視図である。
【図１４】  図１０に示したチルトヒンジの第１回転制御手段のフリクションワッシャーの底面図である。
【図１５】  図１０に示したチルトヒンジの第２回転制御手段のフリクションワッシャーの斜視図である。
【符号の説明】
Ａ  装置本体
Ｂ  ディスプレー体
Ｃ  チルトヒンジ
Ｄ  第１回転制御手段
Ｅ  第２回転制御手段
Ｆ  第１回転制御手段
Ｇ  第２回転制御手段
Ｈ  装置本体
Ｉ  ディスプレー体
１，２  取付部材
２ａ  軸受プレート
３  ベース部材
４  第１回転シャフト
６  第２回転シャフト
６ａ  取付部
６ｂ  大径部
６ｃ  変形小径部
８  フリクションワッシャー
９  スプリングワッシャー
１２  第３回転シャフト
１２ａ  フランジ部
１２ｂ  貫通孔
１２ｃ  係止溝
１３  フリクションワッシャー
１４  位置規制用ワッシャー
１５  固定用カラー
１８  ハーネス
１９  支持部材
２１  取付部材
２１ａ，２１ｂ  軸受プレート
２２  取付プレート
２３  ベース部材
２４  第２回転シャフト
２５  第１回転シャフト
２９  フリクションワッシャー
３０  スプリングワッシャー
３１  プッシュワッシャー
３３  支持部材
３４  第３回転シャフト
３４ａ  貫通孔
３５  フリクションワッシャー
３６  位置規制用ワッシャー
３７  固定用カラー
３９  ハーネス
【図１】
0003798904.tif 000002
【図２】
0003798904.tif 000003
【図３】
0003798904.tif 000004
【図４】
0003798904.tif 000005
【図５】
0003798904.tif 000006
【図６】
0003798904.tif 000007
【図７】
0003798904.tif 000008
【図８】
0003798904.tif 000009
【図９】
0003798904.tif 000010
【図１０】
0003798904.tif 000011
【図１１】
0003798904.tif 000012
【図１２】
0003798904.tif 000013
【図１３】
0003798904.tif 000014
【図１４】
0003798904.tif 000015
【図１５】
0003798904.tif 000016